【手続補正書】
【提出日】平成16年7月22日(2004.7.22)
【手続補正１】
【補正対象書類名】明細書
【補正対象項目名】特許請求の範囲
【補正方法】変更
【補正の内容】
【特許請求の範囲】
【請求項１】
入力される映像信号をフレーム内符号化とフレーム間符号化とを選択的に用いて圧縮符号化する圧縮手段と、
上記圧縮符号化された圧縮データを蓄積する蓄積手段と、
上記蓄積された蓄積圧縮データを出力する出力手段と、
所定の動作モード時に上記フレーム内符号化による蓄積圧縮データを出力するように上記出力手段を制御する制御手段とを備えた画像処理装置。
【請求項２】
上記制御手段は、上記所定の動作モードの終了後は、この所定の動作モード中に蓄積された上記フレーム間符号化による蓄積圧縮データを出力するように制御することを特徴とする請求項１記載の画像処理装置。
【請求項３】
入力される映像信号をフレーム内符号化とフレーム間符号化とを選択的に用いて圧縮符号化する圧縮手段と、
上記圧縮符号化された圧縮データを蓄積する蓄積手段と、
上記蓄積された蓄積圧縮データを出力する出力手段と、
所定の動作モード時にまず１フレーム分の上記フレーム内符号化による蓄積圧縮データを出力し、以降は上記フレーム間符号化による蓄積圧縮データを出力するように上記出力手段を制御する制御手段とを備えた画像処理装置。
【請求項４】
上記制御手段は、上記所定の動作モードの終了後は、この所定の動作モード中に蓄積された上記フレーム内符号化による蓄積圧縮データを出力するように制御することを特徴とする請求項３記載の画像処理装置。
【請求項５】
上記所定の動作モードとは、上記出力する蓄積圧縮データを記録するモードであることを特徴とする請求項１乃至４のいずれか１項に記載の画像処理装置。
【請求項６】
入力される映像信号をフレーム内符号化とフレーム間符号化とを選択的に用いて圧縮符号化する手順と、
上記圧縮符号化された圧縮データを蓄積する手順と、
上記蓄積された蓄積圧縮データを出力する手順と、
所定の動作モード時に上記フレーム内符号化による蓄積圧縮データを出力する手順とを実行するためのプログラムを記憶したコンピュータ読み取り可能な記憶媒体。
【請求項７】
上記所定の動作モードの終了後に、この所定の動作モード中に蓄積された上記フレーム間符号化による蓄積圧縮データを出力する手順を設けたことを特徴とする請求項６記載のコンピュータ読み取り可能な記憶媒体。
【請求項８】
入力される映像信号をフレーム内符号化とフレーム間符号化とを選択的に用いて圧縮符号化する手順と、
上記圧縮符号化された圧縮データを蓄積する手順と、
上記蓄積された蓄積圧縮データを出力する手順と、
所定の動作モード時にまず１フレーム分の上記フレーム内符号化による蓄積圧縮データを出力し、それ以降は上記フレーム間符号化による蓄積圧縮データを出力する手順とを実行するためのプログラムを記憶したコンピュータ読み取り可能な記憶媒体。
【請求項９】
上記所定の動作モードの終了後に、この所定の動作モード中に蓄積された上記フレーム内符号化による蓄積圧縮データを出力する手順を設けたことを特徴とする請求項８記載のコンピュータ読み取り可能な記憶媒体。
【請求項１０】
上記所定の動作モードとは、上記出力される蓄積圧縮データを記録するモードであることを特徴とする請求項６乃至９のいずれか１項に記載のコンピュータ読み取り可能な記憶媒体。
【手続補正２】
【補正対象書類名】明細書
【補正対象項目名】０００４
【補正方法】変更
【補正の内容】
【０００４】
以下、これらの中で、前記Ｈ．２６１勧告による符号化アルゴリズムによる襲来の圧縮符号化装置を図９を用いて簡単に説明する。まず、フレーム内符号化では、スイッチ５１１はＡに接続され、入力された符号化対象画像５００が、ＤＣＴ５０３、量子化部５０４において、ブロックサイズ８×８でＤＣＴ変換され、さらに量子化されて圧縮データとなる。そして、圧縮データ（量子化インデックス）は画像符号化データ５０５として生成される。
【手続補正３】
【補正対象書類名】明細書
【補正対象項目名】００１２
【補正方法】変更
【補正の内容】
【００１２】
【課題を解決するための手段】
本発明による画像処理装置は、入力される映像信号をフレーム内符号化とフレーム間符号化とを選択的に用いて圧縮符号化する圧縮手段と、上記圧縮符号化された圧縮データを蓄積する蓄積手段と、上記蓄積された蓄積圧縮データを出力する出力手段と、所定の動作モード時に上記フレーム内符号化による蓄積圧縮データを出力するように上記出力手段を制御する制御手段とを設けている。
【手続補正４】
【補正対象書類名】明細書
【補正対象項目名】００１３
【補正方法】変更
【補正の内容】
【００１３】
本発明による他の画像処理装置は、入力される映像信号をフレーム内符号化とフレーム間符号化とを選択的に用いて圧縮符号化する圧縮手段と、上記圧縮符号化された圧縮データを蓄積する蓄積手段と、上記蓄積された蓄積圧縮データを出力する出力手段と、所定の動作モード時にまず１フレーム分の上記フレーム内符号化による蓄積圧縮データが出力され、以降は上記フレーム間符号化による蓄積圧縮データを出力するように上記出力手段を制御する制御手段とを設けている。
【手続補正５】
【補正対象書類名】明細書
【補正対象項目名】００１７
【補正方法】変更
【補正の内容】
【００１７】
１０５は映像信号をデジタル処理するデジタル信号処理回路、１０６はデータを伝送する無線送受信機、１０７は通信を制御するプロトコル回路、１０８はキャラクタ信号を発生させるキャラクタジェネレータ、１１０は映像などを表示するファインダ、１１１はビデオカメラの操作キー、１１２は映像情報の圧縮回路、１０９は圧縮データを蓄積するメモリ、１１３はアンテナ、１１４は映像信号とキャラクタ信号のミックス回路、１１５はシステムを制御するカメラマイコンである。
【手続補正６】
【補正対象書類名】明細書
【補正対象項目名】００１９
【補正方法】変更
【補正の内容】
【００１９】
モニタ部２５０において、２０１はアンテナ、２０２は映像信号などを送受信する無線送受信機、２０３は通信を制御するプロトコル制御部、２１１は映像情報の伸長回路、２０４はデジタル信号処理回路、２０５は記録再生回路、２０６はシステムを制御するモニタマイコン、２０７はモニタマイコン２０６の操作キー、２０８は映像信号とキャラクタ信号のミックス回路、２０９は映像などを表示するファインダとしての表示器、２１０はキャラクタ信号を発生させるキャラクタジェネレータ、２１２は受信データを蓄積するメモリである。
【手続補正７】
【補正対象書類名】明細書
【補正対象項目名】００２０
【補正方法】変更
【補正の内容】
【００２０】
図３は上記プロトコル回路１０７（２０３も同一構成）の詳細を示したブロック図であり、３０１は制御入出力とシステムデータのシステムインターフェース部、３０２はプロトコルを制御するコントローラ部、３０３はプロトコル回路内のバスとメモリを制御するメモリ／バスコントローラ部、３０６は内部メモリ、３０４は伝送路のデータプロトコルのインターフェースを制御するデータリンクコントローラ部、３０５はエラー検出またはエラー訂正のデータを、生成または処理するＥＣＣエンコーダ／デコード部である。各ブロックは内部アドレスバス、データバスとコントロールバスで接続されている。
【手続補正８】
【補正対象書類名】明細書
【補正対象項目名】００２１
【補正方法】変更
【補正の内容】
【００２１】
図４は図２の伸長回路２１１の詳細を示したブロック図であり、４００は符号化データ入力部、４０１は各ブロックを制御する復号化制御部、４０２は逆量子化部、４０３は逆ＤＣＴ回路部、４０４はデータ合成部、４０５は復号化データ出力部、４０６は予測メモリ、４０７は切り替えスイッチである。
【手続補正９】
【補正対象書類名】明細書
【補正対象項目名】００２２
【補正方法】変更
【補正の内容】
【００２２】
次に動作について説明する。
図１において、カメラ部１５０の各操作は、操作キー１１１により行われ、カメラ部１５０の撮影時には、被写体がレンズ１０１から撮像素子１０２で結像する。映像信号はＣＤＳ／ＡＧＣ回路１０３でサンプル／増幅され、デジタル信号処理回路１０５に入力される。レンズ１０１はズーミングやフォーカシングのために、カメラマイコン１１５の制御命令を受けて、モータドライバ１０４で駆動される。
【手続補正１０】
【補正対象書類名】明細書
【補正対象項目名】００２４
【補正方法】変更
【補正の内容】
【００２４】
また、デジタル信号処理回路１０５からの映像信号は、圧縮回路１１２で圧縮され、プロトコル回路１０７あるいはメモリ１０９に送られる。ここで用いる圧縮方法は、従来例で説明した手法と同様であり、フレーム内符号化とフレーム間符号化とを、伝送容量、画質、動きに応じて最適に切り替える方法である。
【手続補正１１】
【補正対象書類名】明細書
【補正対象項目名】００２５
【補正方法】変更
【補正の内容】
【００２５】
また、カメラマイコン１１５から送られる各種付加情報もプロトコル回路１０７へ送られる。カメラマイコン１１５によって制御されたプロトコル回路１０７が、後述する伝送プロトコルに従って無線送受信機１０６に送られ、ここで無線送受信機１０６で無線データに変換され、アンテナ１１３を通して伝送される。
【手続補正１２】
【補正対象書類名】明細書
【補正対象項目名】００２８
【補正方法】変更
【補正の内容】
【００２８】
また、受信時には、アンテナ１１３より受信された無線データは、無線送受信機１０６で復調されてプロトコル回路１０７に送られる。その中で、必要なデータがカメラマイコン１１５へ送られる。この信号の中に、上記動作モード制御信号が含まれる。
【手続補正１３】
【補正対象書類名】明細書
【補正対象項目名】００２９
【補正方法】変更
【補正の内容】
【００２９】
次に図２のモニタ部２５０の動作説明の前に、伸長回路２１１の動作について、図４を用いて説明する。符号化データ入力部４００から入力された符号データは、制御信号と画像符号データとに分離され、制御信号は復号化制御部４０１に入力される。まず、フレーム内符号化データであれば、スイッチ４０７がＡに接続され、逆量子化回路４０２で逆量子化され、逆ＤＣＴ回路４０２で逆ＤＣＴされた復号化データが、復号化データ出力部４０５へ出力される。同時に、予測メモリ４０６に参照復号化データとして蓄積される。
【手続補正１４】
【補正対象書類名】明細書
【補正対象項目名】００３０
【補正方法】変更
【補正の内容】
【００３０】
フレーム間符号化データの場合は、スイッチ４０７がＢに接続され、逆量子化回路４０２で逆量子化され、逆ＤＣＴ回路４０２で逆ＤＣＴされた差分復号化データが、予測メモリ４０６とデータ合成部４０４で合成され、復号化データ出力部４０５へ出力される。同時に予測メモリ４０６に参照復号化データとして蓄積される。
【手続補正１５】
【補正対象書類名】明細書
【補正対象項目名】００３１
【補正方法】変更
【補正の内容】
【００３１】
図２のモニタ部２５０において、アンテナ２０１より受信された無線データは、無線送受信機２０２で復調されてプロトコル回路２０８あるいはメモリ２１２に送られる。通常伝送モードであれば、映像符号化情報は、伸長回路２１１でフレーム内符号化データとフレーム間符号化データとを適切に復号された後、デジタル信号処理回路２０４へ送られ、ミックス回路２０８を通してファインダ２０９に復号画像が表示される。
【手続補正１６】
【補正対象書類名】明細書
【補正対象項目名】００３６
【補正方法】変更
【補正の内容】
【００３６】
また送信時に、モニタマイコン２０６からプロトコル回路２０３に動作モード制御データなどの信号が送られ、無線送受信機２０２で無線データに変換されてアンテナ２０１から送信される。
【手続補正１７】
【補正対象書類名】明細書
【補正対象項目名】００３７
【補正方法】変更
【補正の内容】
【００３７】
次に、プロトコル回路１０７及び２０３について、図３を用いて説明する。各マイコン１１５、２０６とは、システムインターフェース３０１を等しく内部バスに接続され、コントローラ３０２と制御、各種付加情報のやりとりを行う。伝送路で送受信するデータもシステムインターフェース３０１から入出力され、内部バスと接続される。メモリ／バスコントローラ部３０３はプロトコル回路内部のバスを制御したり、作業用あるいはバッファメモリなどに使用されるメモリ３０６の詳細なコントロールを行う。
【手続補正１８】
【補正対象書類名】明細書
【補正対象項目名】００３８
【補正方法】変更
【補正の内容】
【００３８】
また、ＥＣＣエンコード／デコード３０５は、データのエラー検出あるいはエラー訂正のために動作し、伝送路の送信時においては、情報本体データにパリティ情報の生成付加を行う。伝送路の受信時においては、得られたデータからエラー検出、訂正を行う。ＥＣＣの方式においては、公知のハミング符号、ＢＣＨ符号、リードソロモン符号、ビタビ畳み込み符号などを使用する。コントローラ３０２に制御されたデータリンクコントローラ３０４が、送信時のデータパケットフレームの組立、受信時のデータ抽出など行い、後述する伝送プロトコルで伝送路に対しての送受信を行う。
【手続補正１９】
【補正対象書類名】明細書
【補正対象項目名】００３９
【補正方法】変更
【補正の内容】
【００３９】
ここで、本実施の形態による伝送プロトコルについて説明する。ここではキャリアセンス方式とＲＴＳ／ＣＴＳ方式を採用している。まず、キャリアセンスとは、各局が自局の電波と他局からの電波との干渉を避けるために、通信を行う前に他局から電波が出されているか否かを一定時間にチェックすることである。キャリアセンス時間内に他局からの電波が検出されなければ通信を開始し、他局からの電波が検出されれば、さらにキャリアセンスを続ける。キャリアセンス後のプロトコルとして、送信要求信号及び応答信号を用いる。これは送信側の局がキャリアセンスを行った後、先ず送信要求信号ＲＳＴ（ＲＥＱＵＥＳＴ  ＴＯ  ＳＥＮＤ）を相手局に送り、これに応じて相手局は応答信号ＣＴＳ（ＣＬＥＡＲ  ＴＯ  ＳＥＮＤ）を送り、送信側の局は所定時間内にＣＴＳを受信した時、データの送信を開始する方式である。
【手続補正２０】
【補正対象書類名】明細書
【補正対象項目名】００５８
【補正方法】変更
【補正の内容】
【００５８】
【発明の効果】
以上説明したように、請求項１、６の発明によれば、通常伝送では互換性の高い圧縮方式を採用することで汎用回線との接続が容易になり、また記録モードのような保存に耐え得る高画質の画像の伝送要求に対しても、安価、小回路規模で実現できる。また、低い伝送容量においても、操作性を損なうことなく伝送することができるなどの効果がある。
【手続補正２１】
【補正対象書類名】明細書
【補正対象項目名】００５９
【補正方法】変更
【補正の内容】
【００５９】
また、請求項３、８の発明によれば、上記の効果に加えて、画像の連続性のより良い高画質画像を伝送することができる。
【手続補正２２】
【補正対象書類名】明細書
【補正対象項目名】００６０
【補正方法】変更
【補正の内容】
【００６０】
さらに、請求項２、４、７、９の発明によれば、高画質伝送中に蓄積した画像を伝送終了後に出力して表示することができる。
【手続補正２３】
【補正対象書類名】明細書
【補正対象項目名】図３
【補正方法】変更
【補正の内容】
【図３】
プロトコル回路を示すブロック図である。
【手続補正２４】
【補正対象書類名】明細書
【補正対象項目名】符号の説明
【補正方法】変更
【補正の内容】
【符号の説明】
１０５  デジタル信号処理回路
１０６  無線送受信機
１０７  プロトコル回路
１０９  メモリ
１１１  操作キー
１１２  圧縮回路
１１３  アンテナ
１１５  カメラマイコン
１５０  カメラ部
【手続補正２５】
【補正対象書類名】図面
【補正対象項目名】図１
【補正方法】変更
【補正の内容】
【図１】
1999308619.tif 000001
【手続補正２６】
【補正対象書類名】図面
【補正対象項目名】図４
【補正方法】変更
【補正の内容】
【図４】
1999308619.tif 000002